(57)【要約】  【課題】  中空筒状のベース柱と、該ベース柱の上端に摺動自在に差し込まれるスライド柱と、このスライド柱を所望の差し込み長さで支持する支持具とを備える陳列什器用伸縮支柱において、スライド柱の差し込み長さの調節作業を簡単に行うことができるとともに、低コストで作製可能な陳列什器用伸縮支柱を提供することを課題とするものである。【解決手段】  支持具１３０を、スライド柱１２０に摺動自在に嵌挿してベース柱１１０の上端で支持できるようにするとともに、スライド柱１２０の係止孔１２１の上縁と係止する係止片１３２と、係止孔１２１の下縁と係合してスライド支柱１２０の差し込み長さを調節するときに、所望の位置にある係止孔１２１に掛止めして位置決めできるようにする。 【選択図】  図１
2005066191.tif 000002
【特許請求の範囲】
【請求項１】
中空筒状に形成されたベース柱と、
前面若しくは背面の長手方向に複数の係止孔が穿設され前記ベース柱の上端に摺動自在に差し込まれるスライド柱と、該スライド柱を所望の差し込み長さで支持する支持具とからなり、
前記支持具は、前記スライド柱に嵌挿して前記ベース柱の上端で支持されるとともに、前記ベース柱の上端に支持された状態で前記スライド柱の前記係止孔の上縁と係止する係止片と、前記ベース柱の上端から離隔した状態で、前記係止孔の下縁と係合しうる係合部とを備えていることを特徴とする陳列什器用伸縮支柱。
【請求項２】
支持具は、左右両側端から上方に垂設されてなる摺動案内片を備えていることを特徴とする請求項１に記載の陳列什器用伸縮支柱。
【請求項３】
支持具は、前端若しくは後端から延設されてなる摘み部を備えていることを特徴とする請求項１または２に記載の陳列什器用伸縮支柱。
【請求項４】
ベース柱の上端は、前面側から背面側若しくは背面側から前面側に向かって傾斜してなることを特徴とする請求項１から３のいずれかに記載の陳列什器用伸縮支柱。
【請求項５】
ベース柱の上端には、弾性体からなる保護キャップが取着されていることを特徴とする請求項１から４のいずれかに記載の陳列什器用伸縮支柱。
【発明の詳細な説明】
【技術分野】
【０００１】
本発明は、スーパーマーケット、コンビニエンスストア、ドラッグストア等の店舗で使用される棚やハンガーラック等の陳列什器に適用される伸縮支柱に関するものであり、さらに詳しくは、中空筒状のベース柱と、該ベース柱の上端に摺動自在に差し込まれるスライド柱と、このスライド柱を所望の差し込み長さで支持する支持具とを備える陳列什器用伸縮支柱に関するものである。
【背景技術】
【０００２】
陳列什器用伸縮支柱は、一般に、下部側に配置されるベース柱と、このベース柱の上端に摺動自在に差し込まれるスライド柱と、スライド柱を任意の差し込み長さで保持する支持具とから構成される。図６には、従来の陳列什器用伸縮支柱３００が示されている。図６に示す陳列什器用伸縮支柱３００は、ベース柱３１０の上端に支持具としてのネジ３３０が取り付けられており、スライド柱３２０を摺動させて任意の差し込み長さとなるように調節し、ネジ３３０を締め付けてスライド柱３２０を所定の差し込み長さで固定するようにしたものである。
【０００３】
この陳列什器用伸縮支柱３００は、構造が簡単で、低コストで作製することができる反面、伸縮作業の際にネジの緩締操作が必要なため、作業が繁雑となって一人で行うことが難しく、また、耐荷重性に乏しいという問題もあった。
【０００４】
上記の問題を鑑みて、様々な形態の陳列什器用伸縮支柱が提案されている。例えば、支持具をベース柱の側面に嵌着可能な略溝形状とするとともに、その溝内に垂直上向きの係止片を突設して形成し、この支持具をベース柱に対して斜めに摺動するように取着して、係止片をベース柱に突設した開口部を介してスライド柱の係止孔に着脱自在に係止するようにしたもの（特許文献１参照）、支持具を、両側の途中で直角に折り曲げ、下部の水平部分にスライド柱の係止孔へ嵌入する突起を設けた枠体から形成し、ベース柱の上端周面に支持具の下向きに折れ曲がる部分が収まる段部を形成したもの（特許文献２参照）、スライド柱の前後面に係止孔を縦設し、ベース柱の上面に、スライド柱の任意の係止孔に掛止まるラッチと、係止孔を貫通する係止ピンとをスライド柱に対する係合から任意に退く移動を自由にして設けた支持枠を取り付け、さらにラッチの係止孔内に臨ませる下面にスライド柱の上方への伸長を自由にする滑り案内面を設けて、スライド柱を係止ピンで支持するとともに、支持ピンをスライド柱の支持から退けた状態でラッチにより任意の伸縮度に仮止めを施せるようにしたもの（特許文献３参照）などが公知である。
【０００５】
しかしながら、これらの従来の陳列什器用伸縮支柱は、耐荷重性と作業性を備える反面、構成が複雑であるため製造コストがかかっていた。
【０００６】
【特許文献１】実開昭５８−９０１６８号公報
【特許文献２】実公昭５６−５３７３５号公報
【特許文献３】実公昭５４−３５６７４号公報
【発明の開示】
【発明が解決しようとする課題】
【０００７】
そこで、本発明は、上述したような従来の陳列什器用伸縮支柱の問題点を解決すべくなされたものであり、スライド柱の差し込み長さの調節を簡単に行え、かつ低コストで作製することができる陳列什器用伸縮支柱を提供することを課題とするものである。
【課題を解決するための手段】
【０００８】
上記課題を解決するために、請求項１に記載した発明が採った手段は、中空筒状に形成されたベース柱１１０と、前面若しくは背面の長手方向に複数の係止孔１２１が穿設されベース柱１１０の上端に摺動自在に差し込まれるスライド柱１２０と、スライド柱１２０を所望の差し込み長さで支持する支持具１３０とからなり、支持具１３０は、スライド柱１２０に嵌挿してベース柱１１０の上端で支持されるとともに、ベース柱１１０の上端に支持された状態でスライド柱１２０の係止孔１２１の上縁と係止する係止片１３２と、ベース柱１１０の上端から離隔した状態で、係止孔１２１の下縁と係合しうる係合部１３３とを備えていることを特徴とする陳列什器用伸縮支柱１００である。
【０００９】
この陳列什器用伸縮支柱１００は、支持具１３０を、スライド柱１２０に嵌挿しベース柱１１０の上端で支持するとともに、係止片１３２をスライド柱１２０の任意の係止孔１２１の上縁に係止させることで、スライド柱１２０の差し込み長さを所定の長さに保つようにし、さらに、スライド柱１２０の係止孔１２１の下縁と係合しうる係合部１３３を設けて、スライド支柱１２０の差し込み長さを調節する際に、支持具１３０を任意の係止孔１２１に掛止めして、支持具１３０の位置決めをできるようにしたものである。
【００１０】
また、請求項２に記載した発明が採った手段は、支持具１３０は、左右両側端から上方に垂設されてなる摺動案内片１３４を備えていることを特徴とする請求項１に記載の陳列什器用伸縮支柱１００である。
【００１１】
支持具１３０に、その左右両側端から摺動案内片１３４を垂設したことにより、支持具１３０をスライド柱１２０に対して上下に摺動させる際に、支持具１３０が摺動途中で斜めとなって引っ掛かることが防止される。
【００１２】
また、請求項３に記載した発明が採った手段は、支持具１３０は、前端若しくは後端から延設されてなる摘み部１３５を備えていることを特徴とする請求項１または２に記載の陳列什器用伸縮支柱１００である。
【００１３】
この伸縮支柱１００は、支持具１３０の前端に摘み部１３５を形成したことによって、スライド柱１２０の差し込み長さを調節する際に、摘み部１３５を摘んで支持具１３０の摺動を簡単に行うことができる。
【００１４】
また、請求項４に記載した発明が採った手段は、ベース柱１１０の上端は、前面側から背面側若しくは背面側から前面側に向かって傾斜してなることを特徴とする請求項１から３のいずれかに記載の陳列什器用伸縮支柱１００である。
【００１５】
ベース柱１１０の上端を前面側から背面側若しくは背面側から前面側に向かって傾斜して形成することによって、支持具１３０がスライド柱１２０の係止孔１２１が形成される面に対して鋭角をなして支持されるので、係止片１２０が係止孔１２１にしっかりと差し込まれるようになる。
【００１６】
また、請求項５に記載した発明が採った手段は、ベース柱１１０の上端には、弾性体からなる保護キャップ１４０が取着されていることを特徴とする請求項１から３のいずれかに記載の陳列什器用伸縮支柱１００である。
【００１７】
ベース柱１１０の上端に保護キャップ１４０を取着したことによって、スライド支柱１２０の差し込み長さの調節の際に、支持具１３０とベース柱１１０の上端との間に、万一、指を挟んでしまった場合であっても、指を傷つけないようにしたものである。
【発明の効果】
【００１８】
請求項１に記載した陳列什器用伸縮支柱によれば、支持具をスライド柱に嵌挿してベース柱の上端で支持するとともに、支持具に形成される係止片をスライド柱の任意の係止孔の上縁に係止させることで、スライド柱の差し込み長さを所定の長さに保つようにし、さらに、スライド柱の係止孔の下縁と係合しうる係合部を設けて、スライド支柱の差し込み長さの調節の際に、支持具を任意の係止孔に掛止めして支持具の位置決めをできるようにしたので、差し込み長さの調整を極めて簡単に行うことができ、かつ耐荷重性にも優れた陳列什器用伸縮支柱を提供することができる。また、構成がシンプルであるため低コストで作製することができる。
【００１９】
請求項２に記載した陳列什器用伸縮支柱によれば、請求項１に記載した陳列什器用伸縮支柱の効果に加えて、左右両側端から摺動案内片を設けたことにより、支持具が摺動途中で斜めになってスライド柱に引っ掛かることが防止されるので、スムーズに摺動操作が行えるようになる。
【００２０】
請求項３に記載した陳列什器用伸縮支柱によれば、請求項１又は２に記載した陳列什器用伸縮支柱の効果に加えて、支持具に摘み部を設けたことにより摺動操作が行いやすくなって、作業性を向上させることができる。
【００２１】
請求項４に記載した陳列什器用伸縮支柱によれば、請求項１から３のいずれかに記載した陳列什器用伸縮支柱の効果に加えて、ベース柱の上端部を、前面側から背面側若しくは背面側から前面側に向かって傾斜するように形成したので、支持具が、スライド柱と鋭角をなすようにベース柱の上端で支持されて、係止片をスライド柱の係止孔に確実に差し込むことができるようになり、スライド柱をより安定して支持することができるようになる。
【００２２】
請求項５に記載した陳列什器用伸縮支柱によれば、請求項１から４のいずれかに記載した陳列什器用伸縮支柱の効果に加えて、ベース柱の上端部に、弾性体からなる保護キャップを取着したことにより、長さ調節のときに、万一、支持具とベース柱の上端との間に指を挟んでしまった場合であっても、指を傷つけることがないので、作業を安全に行うことができる。
【発明を実施するための最良の形態】
【００２３】
本発明に係る陳列什器用伸縮支柱（以下、本欄において、便宜上単に「伸縮支柱」という）は、ベース柱と、スライド柱と、支持具とを備える。
【００２４】
ベース柱は、伸縮支柱の下方に配設されるものであり、中空の筒状に形成される。ベース柱の形状は特には限定されるものではなく、例えば、角柱形状、円柱形状のものを用いることができる。また、ベース柱の前面には、棚板類を係止するための係止孔を長手方向に一定の間隔をもって複数穿設してもよい。係止孔を穿設する場合には、後述するスライド支柱が、ベース柱に差し込まれた状態で、棚板類の係止部と干渉しないように、その係止部を収容できる空間を形成することが好ましい。このように棚板類の係止部を収容する空間を設けて、スライド支柱との干渉をなくすことによって、スライド支柱の上下動が棚板類の係止部により妨げられることがなくなるからである。
【００２５】
なお、ベース柱は、その上端を前面側から背面側若しくは背面側から前面側に傾斜して形成するとよい。ベース柱の上端を、このように傾斜させることによって、後述する支持具を、スライド柱の前面若しくは背面と鋭角をなすようにしてベース柱の上端で支持することができるので、支持具の係止片がスライド柱の前面若しくは背面に形成される係止孔にしっかりと差し込まれて、スライド柱をより確実に支持できるようになる。
【００２６】
さらに、ベース柱の上端には、樹脂、ゴム等の弾性体からなる保護キャップを設けてもよい。保護キャップを設けると、スライド柱の高さ調節時に、支持具とベース柱との間に誤って指を挟んでしまったような場合でも、指を傷つけることがなくなり、安全に作業を行えるようになる。
【００２７】
スライド柱は、ベース柱に摺動自在に差し込まれて、伸縮支柱の上方に配設されるものである。スライド柱の前面若しくは背面には、長手方向に一定の間隔をもって複数の係止孔が穿設される。この係止孔には、後述する支持具の係止片が係止されるが、棚板類を係止するための係止孔としても使用できるように形成するとよい。
【００２８】
支持具は、スライド柱が下降することを規制して、スライド柱の差し込み長さを一定に保つようにするものである。支持具は、スライド柱に摺動自在に嵌挿してベース柱の上端で支持される。そして、支持具には、係止片が形成される。係止片は、支持具がベース柱の上端で支持された状態で、スライド柱の係止孔の上縁と係止するものである。すなわち、支持具をベース柱の上端で支持した状態で、支持具の係止片が係止孔の上縁と係止することによって、スライド柱の下降が規制され、所定の差し込み長さで保持するのである。
【００２９】
また、支持具には、係合部が形成される。係合部は、スライド柱の係止孔の下縁と係合して、支持具を係止孔に掛止めできるようにするものである。この係合部を設けることによって、スライド柱の高さ調節時に、支持具の係止片を係合させる係止孔の位置を変更する場合に、所望する位置にある係止孔に予め支持具を配置しておくことが可能となる。
【００３０】
支持具には、摺動案内片を設けてもよい。摺動案内片は、スライド柱の側面と対向するように、支持具の左右両側端より上方に垂設される。摺動案内片を設けることで、支持具をスライド柱に対して上下に摺動させるときに、支持具が摺動途中で斜めを向いて引っ掛かることを防止できるので、作業がスムーズに行えるようになる。
【００３１】
さらに、支持具には、その前端若しくは後端より摘み部を延設してもよい。摘み部を設けると、支持具を持ちやすくなるので、摺動操作が行いやすくなる。
【実施例】
【００３２】
図１には、本実施例に係る伸縮支柱１００が示されており、図２には、伸縮支柱１００の断面図が示されている。また、図３には、伸縮支柱１００を構成している支持具１３０が示されており、図４には、伸縮支柱１００におけるスライド柱を上方に引き上げた状態が示されている。そして、図５には、本実施例に係る伸縮支柱１００を備えた陳列棚２００が示されている。
【００３３】
本実施例に係る伸縮支柱１００は、ベース柱１１０と、スライド柱１２０と、支持具１３０とを備えており、図５に示すような陳列棚２００に適用されるものである。
【００３４】
ベース柱１１０は、断面矩形の角パイプ材より形成されており、伸縮支柱１００の下方に配設される。ベース柱１１０の前面には、図１及び図５に示すように、棚板２００を支持するブラケット２１０が係止される複数の係止孔１１１が、長手方向に一定の間隔をもって穿設されている。そして、図２に示すように、ベース柱１１０の内部は、隔壁１１２が設けられて前後に二分されて、図５に示すようにブラケット２１０が係止されたときにブラケット２１０の図示しない係止部を収容する収容部１１３と、後述するスライド柱１２０が挿通されるスライド柱挿通部１１４とが形成されている。このようにベース柱１１０の内部を収容部１１３とスライド柱挿通部１１４とに二分することにより、ベース柱１１０に差し込まれたスライド柱１２０と、係止孔１１１に係止されたブラケット２１０の係止部とが干渉することがなくなり、スライド支柱１２０の上下動が妨げられることがなくなる。また、ベース柱１１０の上端は、前面側から背面側にかけて傾斜を有しており、後述する支持具１３０を、スライド柱１２０の前面と鋭角をなして支持できるようにしている。また、ベース柱１１０の収容部１１３の上端には、樹脂製の保護キャップ１４０が嵌着されて、上端面が露出しないようにしている。
【００３５】
スライド柱１２０は、ベース柱１１０におけるスライド柱挿通部１１４に上下に自在に摺動できるように差し込まれて、伸縮支柱１００の上方側に配設される。スライド柱１２０の前面には、細長矩形の係止孔１２１が長手方向に一定の間隔をもって複数穿設されている。この係止孔１２１には、上述したベース柱１１０と同じく、棚板を支持するブラケットが係止しうるとともに、後述する支持具１３０における係止片１３２が係止する。
【００３６】
支持具１３０は、スライド柱１２０が下降することを規制して、スライド柱１２０の差し込み長さを所定の長さで保持するものである。支持具１３０は、図１に示すように、スライド柱１２０に嵌挿して上下に摺動自在に設けられる。そして、支持具１３０は、図３に示すように、基部１３１と、係止片１３２と、摺動案内片１３４と、摘み部１３５とを備える。
【００３７】
基部１３１には、支持具１３０をスライド柱１２０に嵌挿するための開口１３１ａが形成される。この開口１３１ａは、支持具１３０がスライド柱１２０に対して上下に摺動できるように、スライド柱１２０の左右幅よりも若干大きい左右幅に形成されるとともに、支持具１３０をスライド柱１２０に対して前後にずらすことができるように、スライド柱１２０の奥行き長さよりも長い前後幅に形成されている。
【００３８】
係止片１３２は、支持具１３０がベース柱１１０の上端で支持された状態で、スライド柱１２０における係止孔１２１の上縁と係止する部分である。係止片１３２は、基部１３１から上方に向かって垂設されており、先端部が開口１３１ａの内部に突出している。そして、開口１３１ａに突出した先端部には、その下縁から上方に切り欠かれてなる係合部１３３が形成されている。係合部１３３は、図４に示すように、スライド柱１２０の係止孔１２１の下縁と係合して、支持具１３０を係止孔１２１に掛止めできるようにするものである。
【００３９】
摺動案内片１３４は、基部１３１の左右両側端より上方に垂設されており、図１に示すように、支持具１３０がスライド支柱１２０に嵌挿した状態で、スライド柱１２０の側面と対向するように配置される。
【００４０】
摘み部１３５は、基部１３１の前端から斜め上方に向かって延設されている。支持具１３０をスライド柱１２０に対して上下に摺動させる場合には、この摘み部１３５を指先で摘んで行うことができる。
次に、本実施例に係る伸縮支柱１００の長さを調節する方法について、説明する。
【００４１】
本実施例に係る伸縮支柱１００の長さ調節は、まず、ベース柱１１０に対するスライド柱１２０を任意の差し込み長さとなるように伸長若しくは収縮させ、スライド柱１２０が調節後の差し込み長さよりも下降しないように、スライド柱１２０を支持具１３０で支持することによって行う。すなわち、図１に示すように、スライド柱１２０に嵌挿した支持具１３０を、ベース柱１１０の上端に支持させるとともに、支持具１３０の係止片１３２を、スライド柱１２０の前面に複数形成された係止孔１２１のうち、所望の差し込み長さとなる位置にある係止孔１２１の上縁に係止することによって、スライド柱１２０を支持するのである。
【００４２】
伸縮支柱１００におけるスライド柱１２０の差し込み長さを変更するには、まず、図１に示すように支持状態にあるスライド柱１２０を上方に引き上げる。すると、支持具１３０は、図４に示すように、係合部１３３が係止孔１２１の下縁と係合して係止孔１２１に掛止めされた状態となり、スライド柱が引き上げられることに伴ってベース柱１１０の上端から離隔する。次いで、支持具１３０の摘み部１３５を指で摘んで係合部１３３と係止孔１２１の下縁との係合を外すとともに、支持具１３０を前方にずらして係止片１３２を係止孔１２１から離脱させて、支持具１３０を所望の高さ位置にある係止孔１２１まで摺動させる。このとき、支持具１３０の両側端に形成される摺動案内片１３４が、スライド柱１２０の側面と接触して、支持具１３０が摺動途中で斜めになって引っ掛からないように、真っ直ぐに摺動できるように案内する。支持具１３０を所望の位置にある係止孔１２１まで摺動させたら、係合部１３３を係止孔１２１の下縁に係合させて、係止孔１２１に掛止めする。そして、スライド柱１２０を下降させ、支持具１３０をベース柱１１０の上端に当接させる。このとき、支持具１３０は、ベース柱１１０の上端に、スライド柱１２０の前面と鋭角をなすように支持されるため、係止片１３２が係止孔１２１に確実に挿入されることとなる。こうして、支持具１３０がベース柱１１０の上端で支持されると、係止片１３２が係止孔１２１の上縁と係止する。これにより、スライド柱１２０の下降が規制され、スライド柱１２０が調節後の差し込み長さで保持されるのである。
【００４３】
以上のように、本実施例に係る伸縮支柱１００によれば、支持具１３０をスライド柱１２０に嵌挿してベース柱１１０の上端で支持するとともに、支持具１３０に形成される係止片１３２をスライド柱１２０の任意の係止孔１２１の上縁に係止するだけで、スライド柱１２０の差し込み長さを所定の長さに保つことができ、さらに、係止片１３２に係合部１３３を形成して、スライド柱１２０の差し込み長さの調節時に、支持具１３０をスライド柱１２０の係止孔１２１に掛止めして予め位置決めしておくことができるので、スライド柱１２０の差し込み長さの調節を簡単に行うことができる。
【００４４】
また、支持具１３０に摺動案内片１３４を形成したことにより、支持具１３０をスライド柱１２０に対して真っ直ぐ摺動できるようになるので、摺動途中で支持具１３０が引っ掛かって摺動が妨げられることがなくなる。また、摘み部１３５を形成して、支持具１３０を持ちやすくしたので、支持具１３０の摺動操作が行いやすい。
【００４５】
また、ベース柱１１０の上端を、前面側から背面側にかけて傾斜して形成したので、支持具１３０がスライド柱１２０と鋭角をなすようにベース柱１１０の上端で支持することができるので、支持具１３０の係止片１３２がスライド柱１２０の係止孔１２１に確実に差し込まれるようになる。また、ベース柱１１０の上端には、保護キャップ１４０が取着されるので、伸縮支柱１００の長さ調節時に、万一、支持具１３０とベース柱１１０の上端との間に指を挟んでしまった場合でも、指を傷けることがなく、作業を安全に行うことができる。
【図面の簡単な説明】
【００４６】
【図１】本実施例に係る陳列什器用伸縮支柱の斜視図である。
【図２】本実施例に係る陳列什器用伸縮支柱の断面図である。
【図３】本実施例に係る陳列什器用伸縮支柱を構成する支持具の斜視図である。
【図４】本実施例に係る陳列什器用伸縮支柱であって、スライド柱を上方に引き上げた状態を示す側面図である。
【図５】本実施例に係る陳列什器用伸縮支柱を用いた陳列棚の斜視図である。
【図６】従来の陳列什器用伸縮支柱の斜視図である。
【符号の説明】
【００４７】
１００  陳列什器用伸縮支柱
１１０  ベース柱
１２０  スライド柱
１２１  係止孔
１３０  支持具
１３２  係止片
１３３  係合部
１３４  摺動案内片
１３５  摘み部
１４０  保護キャップ
【図１】
2005066191.tif 000003
【図２】
2005066191.tif 000004
【図３】
2005066191.tif 000005
【図４】
2005066191.tif 000006
【図５】
2005066191.tif 000007
【図６】
2005066191.tif 000008